(57)【要約】      （修正有）【課題】安定性、安全性の高く、任意の時に使用者が摩擦等によりカプセルを粉砕できる香料内包カプセルを提供する。【解決手段】３−オクタノール等の特定の香料と、流動パラフィン等の油分と、を含む芯物質と、ポリ（メタ）アクリル酸アルキル、ポリスチレンから選択される１種又は２種以上のポリマーにより形成される壁材と、からなることを特徴とする香料内包カプセルを用いる。カプセル全量に対して、香料の内包量が１〜６０質量％、油分の内包量が１０〜８９質量％、壁材の配合量が１０〜３０質量％であり、カプセルの平均粒子径が１〜１００μｍである香料内包カプセル。【選択図】図３
2014237761.tif 000002
【特許請求の範囲】
【請求項１】
香料と、油分と、を含む芯物質と、
ポリ（メタ）アクリル酸アルキル、ポリスチレンから選択される１種又は２種以上のポリマーにより形成される壁材と、からなる香料内包カプセルであって、
香料が、３−オクタノール、２，６−ジメチル−２−ヘプタノール、テトラヒドロゲラニオール、テトラヒドロリナロール、ヒドロキシシトロネロール、ボルネオール、セドロール、パチュリアルコール、ベチベロール、４−イソプロピルシクロヘキサノール、４−イソプロピルシクロヘキサン−メタノール、ｐ−ｔｅｒｔ−ブチルシクロヘキサノール、ｏ−ｔｅｒｔ−ブチルシクロヘキサノール、１−（２−ｔｅｒｔ−ブチルシクロヘキシルオキシ）−２−ブタノール、α，β，２，２，６−ペンタメチルシクロヘキシルプロパノール、１−（２，２，６−トリメチルシクロヘキシル）−３−ヘキサノール、ベンジルアルコール、２−フェニルエチルアルコール、フェノキシエチルアルコール、１−フェニルエチルアルコール、アニスアルコール、３−フェニルプロピルアルコール、α，α−ジメチルベンジルカルビノール、α，α−ジメチルフェニルエチルカルビノール、フェニルエチルメチルエチルカルビノール、３−メチル−５−フェニル−１−ペンタノール、チモール、カルバクロール、オルシノールモノメチルエーテル、３，７−ジメチル−７−メトキシオクタン−２−オール、１，８−シネオール、４−アセトキシ−３−アミルテトラヒドロピラン、セドリルメチルエーテル、１−メトキシシクロドデカン、１−メチル−１−メトキシシクロドデカン、エトキシメチルシクロドデシルエーテル、アンブロキサン、グリサルバ、アニソール、ジメチルヒドロキノン、ｐ−クレシルメチルエーテル、アセトアニソール、ジヒドロアネトール、ジフェニルオキサイド、フェニルエチルイソアミルエーテル、β−ナフチルメチルエーテル、β−ナフチルエチルエーテル、β−ナフチルイソブチルエーテル、ヘキシルアルデヒド、ヘプチルアルデヒド、オクチルアルデヒド、ノニルアルデヒド、デシルアルデヒド、ウンデシルアルデヒド、３，５，５−トリメチルヘキサナール、メチルオクチルアセトアルデヒド、メチルノニルアセトアルデヒド、ヒドロキシシトロネラール、メトキシジヒドロシトロネラール、センテナール、ベンズアルデヒド、フェニルアセトアルデヒド、フェニルプロピルアルデヒド、ヒドラトロピックアルデヒド、アニスアルデヒド、ｐ−メチルフェニルアセトアルデヒド、クミンアルデヒド、シクラメンアルデヒド、３−（ｐ−ｔｅｒｔ−ブチルフェニル）−プロパナール、ｐ−エチル２，２−ジメチルヒドロシンナムアルデヒド、２−メチル−３−（ｐ−メトキシフェニル）−プロパナール、４−ｔｅｒｔ−ブチル−α−メチルヒドロシンナミックアルデヒド、ヘリオトロピン、ヘリオナール、バニリン、エチルバニリン、オクタナールグリコールアセタール、フェニルアセトアルデヒドジメチルアセタール、ヒドラトロピックアルデヒドジメチルアセタール、フェニルアセトアルデヒドグリセリルアセタール、２−ブチル−４，４，６−トリメチル−１，３−ジオキサン、メチルアミルケトン、エチルアミルケトン、メチルヘキシルケトン、メチルノニルケトン、カンファー、ｌ−メントン、ｄ−イソメントン、ｐ−ｔｅｒｔ−ブチルシクロヘキサノン、２−アミルシクロペンタノン、２−ヘプチルシクロペンタノン、プリカトン、４−シクロヘキシル−４−メチル−２−ペンタノン、２，２，５−トリメ���ル−５−ペンチルシクロペンタノン、アセトフェノン、ｐ−メチルアセトフェノン、ベンジルアセトン、カロン、ラズベリーケトン、アニシルアセトン、ジンゲロン、メチルβ−ナフチルケトン、４−フェニル−４−メチル−２−ペンタノン、ベンゾフェノン、エチルホルメート、ベンジルホルメート、フェニルエチルホルメート、エチルアセテート、ブチルアセテート、イソアミルアセテート、ヘキシルアセテート、イソノニルアセテート、ｌ−メンチルアセテート、ｎ−ボルニルアセテート、イソボルニルアセテート、ｐ−ｔ−ブチルシクロヘキシルアセテート、ｏ−ｔ−ブチルシクロヘキシルアセテート、ベンジルアセテート、２−フェニルエチルアセテート、スチラリルアセテート、アニシルアセテート、ｐ−クレシルアセテート、ヘリオトロピルアセテート、セドリルアセテート、ベチベリルアセテート、デカヒドロ−β−ナフチルアセテート、エチルプロピオネート、イソアミルプロピオネート、ベンジルプロピオネート、エチルブチレート、エチル２−メチルブチレート、ブチルブチレート、イソアミルブチレート、ヘキシルブチレート、ベンジルブチレート、ベンジルイソブチレート、フェニルエチルイソブチレート、フェノキシエチルイソブチレート、エチルイソバレート、プロピルバレート、ベンジルイソバレート、フェニルエチルイソバレート、エチルカプロエート、エチルヘプタノエート、エチル２−メチルペンタノエート、エチルオクタノエート、エチルケトプロピオネート、イソアミルケトプロピオネート、エチルアセトアセテート、エチルレブリネート、メチルベンゾエート、ベンジルベンゾエート、フェニルエチルベンゾエート、メチルフェニルアセテート、メチルサリシレート、メチルアニセート、メチルアンスラニレート、メチルジヒドロジャスモネート、エチル３−メチル−３−フェニルグリシデート、エチル３−フェニルグリシデート、フルクトン、フレイストン、フルイテート、γ−オクタルアクトン、クマリン、ムスコン、シクロペンタデカノン、シクロペンタデカノリド、インドールから選択される１種または２種以上からなることを特徴とする香料内包カプセル。
【請求項２】
請求項１に記載の香料内包カプセルにおいて、油分が、流動パラフィン、オゾケライト、スクワラン、プリスタン、パラフィン、スクワレン、ワセリン、マカデミアナッツ油、ミリスチン酸イソプロピル、オクタン酸セチル、ミリスチン酸オクチルドデシル、パルミチン酸イソプロピル、ステアリン酸ブチル、ラウリン酸ヘキシル、ミリスチン酸ミリスチル、オレイン酸デシル、ジメチルオクタン酸ヘキシルデシル、乳酸セチル、乳酸ミリスチル、酢酸ラノリン、ステアリン酸イソセチル、イソステアリン酸イソセチル、12-ヒドロキシステアリン酸コレステリル、ジ-2-エチルヘキサン酸エチレングリコール、ジペンタエリスリトール脂肪酸エステル、モノイソステアリン酸N-アルキルグリコール、ジカプリン酸ネオペンチルグリコール、リンゴ酸ジイソステアリル、ジ-2-ヘプチルウンデカン酸グリセリン、トリ-2-エチルヘキサン酸トリメチロールプロパン、トリイソステアリン酸トリメチロールプロパン、テトラ-2-エチルヘキサン酸ペンタエリスリトール、トリ-2-エチルヘキサン酸グリセリン、トリオクタン酸グリセリン、トリイソパルミチン酸グリセリン、トリイソステアリン酸トリメチロールプロパン、セチル2-エチルヘキサノエート、2-エチルヘキシルパルミテート、トリミリスチン酸グリセリン、トリ-2-ヘプチルウンデカン酸グリセライド、ヒマシ油脂肪酸メチルエステル、オレイン酸オレイル、アセトグリセライド、パルミチン酸2-ヘプチルウンデシル、アジピン酸ジイソブチル、N-ラウロイル-L-グルタミン酸-2-オクチルドデシルエステル、アジピン酸ジ-2-ヘプチルウンデシル、エチルラウレート、セバシン酸ジ−2-エチルヘキシル、ミリスチン酸2-ヘキシルデシル、パルミチン酸2-ヘキシルデシル、アジピン酸2-ヘキシルデシル、セバシン酸ジイソプロピル、コハク酸2-エチルヘキシル、クエン酸トリエチル、モルティエレラ油、鎖状ポリシロキサン、環状ポリシロキサンから選択される１種または２種以上であることを特徴とする香料内包カプセル。
【請求項３】
請求項１または２に記載の香料内包カプセルにおいて、カプセル全量に対して、香料の内包量が１〜６０質量％、油分の内包量が１０〜８９質量％、壁材の配合量が１０〜３０質量％であることを特徴とする香料内包カプセル。
【請求項４】
請求項１〜３のいずれかに記載の香料内包カプセルにおいて、カプセルの平均粒子径が１〜１００μｍであることを特徴とする香料内包カプセル。
【請求項５】
請求項１〜４のいずれかに記載の香料内包カプセルを含むことを特徴とする化粧料。
【請求項６】
請求項５に記載の化粧料において、アルコールの配合量が５０質量％未満であることを特徴とする化粧料。
【発明の詳細な説明】
【技術分野】
【０００１】
本発明は香料内包カプセルに関し、特に安定性、安全性の高い香料内包カプセルに関する。
【背景技術】
【０００２】
飲食料、化粧料、洗浄料等の製品にさまざまな印象を与えるために、あらゆる香料が添加されている。香料は通常、天然香料や合成香料を調合して用いられている。香料は、揮発性の高い順に、一般にトップノート、ミドルノート、ベースノートに分類される。
これらのうち、トップノートは香りの第一印象を決める重要な成分で、柑橘系等のフレッシュな香りが代表的である。しかし、トップノートは最も揮発性が高いために、数十分程度で香りが消えてしまう。
また、ミドルノートは、フローラル系やフルーティ系の香りが代表的である。しかし、ミドルノートも通常、数時間で香りが消えてしまう。
【０００３】
特許文献１には、香料成分と、特定の吸油量の粉末（例えばポリメタクリル酸メチル）等を含む固形状香料組成物が開示されている。該固形状香料組成物は、トップノートを含む香りが長続きできることが記載されている。しかし、製品が固形に限定されており、また香りが使用当初より大きくすることはできなかった。
【０００４】
一方、香りを持続させるために、香料をカプセル化する技術が開発されている。カプセルは、内包される芯物質と、壁膜を形成する壁材から構成されている。壁材としては、ポリアクリル酸エステル系高分子、ウレタン系高分子、メラミン系高分子等が挙げられる。
例えば、特許文献２には、芯物質として引火点が５０〜１３０℃の範囲内の香料組成物を用いたカプセル化香料が記載されている。しかし、ホルムアルデヒドを含有するメラミン化合物を壁材として用いているため、安全性の点で化粧料等の賦香に用いることは不可能であった。
カプセルの壁材としてポリメタクリル酸メチル等のポリマーを用いた場合には、化粧料等の賦香に用いることができる。しかし、前記ポリマーで香料を内包するカプセルを製造しようとしても、粉末内に香料を保持しきれない香料含浸粉末ができてしまい、経時的に香料が漏洩してしまい安定な香料内包カプセルを得ることは困難であることやラジカル重合によりカプセルの壁材を構築することから、香料が反応しポリマーに組み込まれてしまい調製通りの香りを発現させることができなかった。
また、壁材として、ウレタン系ポリマーを用いた場合には、水に弱いなどの欠点があった。
【０００５】
特許文献３には、コアシェル型のマイクロカプセルを香料組成物に適用できることが記載され、壁材（シェル）の組成や芯物質（コア部）の香料、油分が広く記載されている。しかし、前述の理由から、すべての組み合わせにおいて安定で安全なカプセルが得られるものではなく、改良が望まれていた。
壁材としてアクリル系ポリマーを用いたマイクロカプセルの製造方法としては、特許文献４、５が知られている。しかし、芯物質（内包成分）についての検討や、香料を内包させる際の問題点ついては知られていなかった。
【先行技術文献】
【特許文献】
【０００６】
【特許文献１】特開２０１０−２３５７４６号公報
【特許文献２】特開２００６−２４９３２６号公報
【特許文献３】国際特許公報  ＷＯ２０１１／０６４１９７号公報
【特許文献４】特開２００３−２２１５７８号公報
【特許文献５】特公平５−１５４９９号公報
【発明の概要】
【発明が解決しようとする課題】
【０００７】
本発明は前記従来技術に鑑み行われたものであり、その解決すべき課題は、安定性の高い香料内包カプセルを提供することにある。本発明の香料内包カプセルは、特定の香料をカプセル化前後で香料が変質することなく壁膜中に安定に内包できているため、使用者の好きなタイミングで、摩擦等によりカプセルを粉砕することで容易に、トップノート等を含むバランスの良い香りを賦香することができる。
【課題を解決するための手段】
【０００８】
本発明者らが前述の課題を解決すべく鋭意研究を行った結果、特定の香料と油分を用いることで、安定な香料内包カプセルを得られることを見出し、本発明を完成するに至った。
すなわち、本発明にかかる香料内包カプセルは、香料と、油分と、を含む芯物質と、
ポリ（メタ）アクリル酸アルキル、ポリスチレンから選択される１種又は２種以上のポリマーにより形成される壁材と、からなる香料内包カプセルであって、
香料が、３−オクタノール、２，６−ジメチル−２−ヘプタノール、テトラヒドロゲラニオール、テトラヒドロリナロール、ヒドロキシシトロネロール、ボルネオール、セドロール、パチュリアルコール、ベチベロール、４−イソプロピルシクロヘキサノール、４−イソプロピルシクロヘキサン−メタノール、ｐ−ｔｅｒｔ−ブチルシクロヘキサノール、ｏ−ｔｅｒｔ−ブチルシクロヘキサノール、１−（２−ｔｅｒｔ−ブチルシクロヘキシルオキシ）−２−ブタノール、α，β，２，２，６−ペンタメチルシクロヘキシルプロパノール、１−（２，２，６−トリメチルシクロヘキシル）−３−ヘキサノール、ベンジルアルコール、２−フェニルエチルアルコール、フェノキシエチルアルコール、１−フェニルエチルアルコール、アニスアルコール、３−フェニルプロピルアルコール、α，α−ジメチルベンジルカルビノール、α，α−ジメチルフェニルエチルカルビノール、フェニルエチルメチルエチルカルビノール、３−メチル−５−フェニル−１−ペンタノール、チモール、カルバクロール、オルシノールモノメチルエーテル、３，７−ジメチル−７−メトキシオクタン−２−オール、１，８−シネオール、４−アセトキシ−３−アミルテトラヒドロピラン、セドリルメチルエーテル、１−メトキシシクロドデカン、１−メチル−１−メトキシシクロドデカン、エトキシメチルシクロドデシルエーテル、アンブロキサン、グリサルバ、アニソール、ジメチルヒドロキノン、ｐ−クレシルメチルエーテル、アセトアニソール、ジヒドロアネトール、ジフェニルオキサイド、フェニルエチルイソアミルエーテル、β−ナフチルメチルエーテル、β−ナフチルエチルエーテル、β−ナフチルイソブチルエーテル、ヘキシルアルデヒド、ヘプチルアルデヒド、オクチルアルデヒド、ノニルアルデヒド、デシルアルデヒド、ウンデシルアルデヒド、３，５，５−トリメチルヘキサナール、メチルオクチルアセトアルデヒド、メチルノニルアセトアルデヒド、ヒドロキシシトロネラール、メトキシジヒドロシトロネラール、センテナール、ベンズアルデヒド、フェニルアセトアルデヒド、フェニルプロピルアルデヒド、ヒドラトロピックアルデヒド、アニスアルデヒド、ｐ−メチルフェニルアセトアルデヒド、クミンアルデヒド、シクラメンアルデヒド、３−（ｐ−ｔｅｒｔ−ブチルフェニル）−プロパナール、ｐ−エチル２，２−ジメチルヒドロシンナムアルデヒド、２−メチル−３−（ｐ−メトキシフェニル）−プロパナール、４−ｔｅｒｔ−ブチル−α−メチルヒドロシンナミックアルデヒド、ヘリオトロピン、ヘリオナール、バニリン、エチルバニリン、オクタナールグリコールアセタール、フェニルアセトアルデヒドジメチルアセタール、ヒドラトロピックアルデヒドジメチルアセタール、フェニルアセトアルデヒドグリセリルアセタール、２−ブチル−４，４，６−トリメチル−１，３−ジオキサン、メチルアミルケトン、エチルアミルケトン、メチルヘキシルケトン、メチルノニルケトン、カンファー、ｌ−メントン、ｄ−イソメントン、ｐ−ｔｅｒｔ−ブチルシクロヘキサノン、２−アミルシクロペンタノン、２−ヘプチルシクロペンタノン、プリカトン、４−シクロヘキシル−４−メチル−２−ペンタノン、２，２，５−トリメ���ル−５−ペンチルシクロペンタノン、アセトフェノン、ｐ−メチルアセトフェノン、ベンジルアセトン、カロン、ラズベリーケトン、アニシルアセトン、ジンゲロン、メチルβ−ナフチルケトン、４−フェニル−４−メチル−２−ペンタノン、ベンゾフェノン、エチルホルメート、ベンジルホルメート、フェニルエチルホルメート、エチルアセテート、ブチルアセテート、イソアミルアセテート、ヘキシルアセテート、イソノニルアセテート、ｌ−メンチルアセテート、ｎ−ボルニルアセテート、イソボルニルアセテート、ｐ−ｔ−ブチルシクロヘキシルアセテート、ｏ−ｔ−ブチルシクロヘキシルアセテート、ベンジルアセテート、２−フェニルエチルアセテート、スチラリルアセテート、アニシルアセテート、ｐ−クレシルアセテート、ヘリオトロピルアセテート、セドリルアセテート、ベチベリルアセテート、デカヒドロ−β−ナフチルアセテート、エチルプロピオネート、イソアミルプロピオネート、ベンジルプロピオネート、エチルブチレート、エチル２−メチルブチレート、ブチルブチレート、イソアミルブチレート、ヘキシルブチレート、ベンジルブチレート、ベンジルイソブチレート、フェニルエチルイソブチレート、フェノキシエチルイソブチレート、エチルイソバレート、プロピルバレート、ベンジルイソバレート、フェニルエチルイソバレート、エチルカプロエート、エチルヘプタノエート、エチル２−メチルペンタノエート、エチルオクタノエート、エチルケトプロピオネート、イソアミルケトプロピオネート、エチルアセトアセテート、エチルレブリネート、メチルベンゾエート、ベンジルベンゾエート、フェニルエチルベンゾエート、メチルフェニルアセテート、メチルサリシレート、メチルアニセート、メチルアンスラニレート、メチルジヒドロジャスモネート、エチル３−メチル−３−フェニルグリシデート、エチル３−フェニルグリシデート、フルクトン、フレイストン、フルイテート、γ−オクタルアクトン、クマリン、ムスコン、シクロペンタデカノン、シクロペンタデカノリド、インドールから選択される１種または２種以上からなることを特徴とする。
【０００９】
前記香料内包カプセルにおいて、油分（炭化水素油、エステル油、シリコーン油等）が、流動パラフィン、オゾケライト、スクワラン、プリスタン、パラフィン、スクワレン、ワセリン、マカデミアナッツ油、ミリスチン酸イソプロピル、オクタン酸セチル、ミリスチン酸オクチルドデシル、パルミチン酸イソプロピル、ステアリン酸ブチル、ラウリン酸ヘキシル、ミリスチン酸ミリスチル、オレイン酸デシル、ジメチルオクタン酸ヘキシルデシル、乳酸セチル、乳酸ミリスチル、酢酸ラノリン、ステアリン酸イソセチル、イソステアリン酸イソセチル、12-ヒドロキシステアリン酸コレステリル、ジ-2-エチルヘキサン酸エチレングリコール、ジペンタエリスリトール脂肪酸エステル、モノイソステアリン酸N-アルキルグリコール、ジカプリン酸ネオペンチルグリコール、リンゴ酸ジイソステアリル、ジ-2-ヘプチルウンデカン酸グリセリン、トリ-2-エチルヘキサン酸トリメチロールプロパン、トリイソステアリン酸トリメチロールプロパン、テトラ-2-エチルヘキサン酸ペンタエリスリトール、トリ-2-エチルヘキサン酸グリセリン、トリオクタン酸グリセリン、トリイソパルミチン酸グリセリン、トリイソステアリン酸トリメチロールプロパン、セチル2-エチルヘキサノエート、2-エチルヘキシルパルミテート、トリミリスチン酸グリセリン、トリ-2-ヘプチルウンデカン酸グリセライド、ヒマシ油脂肪酸メチルエステル、オレイン酸オレイル、アセトグリセライド、パルミチン酸2-ヘプチルウンデシル、アジピン酸ジイソブチル、N-ラウロイル-L-グルタミン酸-2-オクチルドデシルエステル、アジピン酸ジ-2-ヘプチルウンデシル、エチルラウレート、セバシン酸ジ−2-エチルヘキシル、ミリスチン酸2-ヘキシルデシル、パルミチン酸2-ヘキシルデシル、アジピン酸2-ヘキシルデシル、セバシン酸ジイソプロピル、コハク酸2-エチルヘキシル、クエン酸トリエチル、モルティエレラ油、鎖状ポリシロキサン、環状ポリシロキサンから選択される１種または２種以上であることが好適である。
前記香料内包カプセルにおいて、ポリマーが、ポリ（メタ）アクリル酸アルキル、ポリスチレンから選択される１種又は２種以上のポリマーにより形成される壁材と、から構成されていることが好適である。
前記香料内包カプセルにおいて、カプセル全量に対して、香料の内包量が１〜６０質量％、油分の内包量が１０〜８９質量％、壁材の配合量が１０〜３０質量％であることが好適である。
前記香料内包カプセルにおいて、カプセルの平均粒子径が１〜１００μｍであることが好適である。
本発明にかかる化粧料は、前記香料内包カプセルを含むことを特徴とする。
前記化粧料において、アルコールの配合量が５０質量％未満であることが好適である。
【発明の効果】
【００１０】
本発明によれば、カプセル化前後で香料が変質することなく、摩擦等により香りのよみがえりがある安定性の高い香料内包カプセルを提供することができる。
【図面の簡単な説明】
【００１１】
【図１】製造例１−１で得られた粉末のＳＥＭ写真である。
【図２】製造例２−２で得られた粉末のＳＥＭ写真である。
【図３】本発明の香料内包カプセル（製造例３）のＳＥＭ写真である。
【図４】ろ紙上での香りの評価結果を示す。
【図５】ストランド上での香りの評価結果を示す。
【発明を実施するための形態】
【００１２】
本発明の香料内包カプセルは、以下に列挙される特定の香料と、油分と、を含む芯物質と、ポリ（メタ）アクリル酸アルキル、ポリスチレンから選択される１種又は２種以上のポリマーにより形成される壁材と、から構成されている。
【００１３】
本発明の芯物質に用いられる香料は、３−オクタノール、２，６−ジメチル−２−ヘプタノール、テトラヒドロゲラニオール、テトラヒドロリナロール、ヒドロキシシトロネロール、ボルネオール、セドロール、パチュリアルコール、ベチベロール、４−イソプロピルシクロヘキサノール、４−イソプロピルシクロヘキサン−メタノール、ｐ−ｔｅｒｔ−ブチルシクロヘキサノール、ｏ−ｔｅｒｔ−ブチルシクロヘキサノール、１−（２−ｔｅｒｔ−ブチルシクロヘキシルオキシ）−２−ブタノール、α，β，２，２，６−ペンタメチルシクロヘキシルプロパノール、１−（２，２，６−トリメチルシクロヘキシル）−３−ヘキサノール、ベンジルアルコール、２−フェニルエチルアルコール、フェノキシエチルアルコール、１−フェニルエチルアルコール、アニスアルコール、３−フェニルプロピルアルコール、α，α−ジメチルベンジルカルビノール、α，α−ジメチルフェニルエチルカルビノール、フェニルエチルメチルエチルカルビノール、３−メチル−５−フェニル−１−ペンタノール、チモール、カルバクロール、オルシノールモノメチルエーテル、３，７−ジメチル−７−メトキシオクタン−２−オール、１，８−シネオール、４−アセトキシ−３−アミルテトラヒドロピラン、セドリルメチルエーテル、１−メトキシシクロドデカン、１−メチル−１−メトキシシクロドデカン、エトキシメチルシクロドデシルエーテル、アンブロキサン、グリサルバ、アニソール、ジメチルヒドロキノン、ｐ−クレシルメチルエーテル、アセトアニソール、ジヒドロアネトール、ジフェニルオキサイド、フェニルエチルイソアミルエーテル、β−ナフチルメチルエーテル、β−ナフチルエチルエーテル、β−ナフチルイソブチルエーテル、ヘキシルアルデヒド、ヘプチルアルデヒド、オクチルアルデヒド、ノニルアルデヒド、デシルアルデヒド、ウンデシルアルデヒド、３，５，５−トリメチルヘキサナール、メチルオクチルアセトアルデヒド、メチルノニルアセトアルデヒド、ヒドロキシシトロネラール、メトキシジヒドロシトロネラール、センテナール、ベンズアルデヒド、フェニルアセトアルデヒド、フェニルプロピルアルデヒド、ヒドラトロピックアルデヒド、アニスアルデヒド、ｐ−メチルフェニルアセトアルデヒド、クミンアルデヒド、シクラメンアルデヒド、３−（ｐ−ｔｅｒｔ−ブチルフェニル）−プロパナール、ｐ−エチル２，２−ジメチルヒドロシンナムアルデヒド、２−メチル−３−（ｐ−メトキシフェニル）−プロパナール、４−ｔｅｒｔ−ブチル−α−メチルヒドロシンナミックアルデヒド、ヘリオトロピン、ヘリオナール、バニリン、エチルバニリン、オクタナールグリコールアセタール、フェニルアセトアルデヒドジメチルアセタール、ヒドラトロピックアルデヒドジメチルアセタール、フェニルアセトアルデヒドグリセリルアセタール、２−ブチル−４，４，６−トリメチル−１，３−ジオキサン、メチルアミルケトン、エチルアミルケトン、メチルヘキシルケトン、メチルノニルケトン、カンファー、ｌ−メントン、ｄ−イソメントン、ｐ−ｔｅｒｔ−ブチルシクロヘキサノン、２−アミルシクロペンタノン、２−ヘプチルシクロペンタノン、プリカトン、４−シクロヘキシル−４−メチル−２−ペン���ノン、２，２，５−トリメチル−５−ペンチルシクロペンタノン、アセトフェノン、ｐ−メチルアセトフェノン、ベンジルアセトン、カロン、ラズベリーケトン、アニシルアセトン、ジンゲロン、メチルβ−ナフチルケトン、４−フェニル−４−メチル−２−ペンタノン、ベンゾフェノン、エチルホルメート、ベンジルホルメート、フェニルエチルホルメート、エチルアセテート、ブチルアセテート、イソアミルアセテート、ヘキシルアセテート、イソノニルアセテート、ｌ−メンチルアセテート、ｎ−ボルニルアセテート、イソボルニルアセテート、ｐ−ｔ−ブチルシクロヘキシルアセテート、ｏ−ｔ−ブチルシクロヘキシルアセテート、ベンジルアセテート、２−フェニルエチルアセテート、スチラリルアセテート、アニシルアセテート、ｐ−クレシルアセテート、ヘリオトロピルアセテート、セドリルアセテート、ベチベリルアセテート、デカヒドロ−β−ナフチルアセテート、エチルプロピオネート、イソアミルプロピオネート、ベンジルプロピオネート、エチルブチレート、エチル２−メチルブチレート、ブチルブチレート、イソアミルブチレート、ヘキシルブチレート、ベンジルブチレート、ベンジルイソブチレート、フェニルエチルイソブチレート、フェノキシエチルイソブチレート、エチルイソバレート、プロピルバレート、ベンジルイソバレート、フェニルエチルイソバレート、エチルカプロエート、エチルヘプタノエート、エチル２−メチルペンタノエート、エチルオクタノエート、エチルケトプロピオネート、イソアミルケトプロピオネート、エチルアセトアセテート、エチルレブリネート、メチルベンゾエート、ベンジルベンゾエート、フェニルエチルベンゾエート、メチルフェニルアセテート、メチルサリシレート、メチルアニセート、メチルアンスラニレート、メチルジヒドロジャスモネート、エチル３−メチル−３−フェニルグリシデート、エチル３−フェニルグリシデート、フルクトン、フレイストン、フルイテート、γ−オクタルアクトン、クマリン、ムスコン、シクロペンタデカノン、シクロペンタデカノリド、インドールから選択される１種または２種以上からなる香料である。
【００１４】
上記の香料を用いると壁材であるポリマーに香料が組み込まれることなく、安定な香料内包カプセルを得ることができる。
【００１５】
香料の配合量は、カプセル全量に対して１〜６０質量％であることが好ましく、さらに好ましくは、５〜４０質量％である。香料の配合量が少なすぎると、香りが弱すぎて、粉砕しても香りのよみがえりを感じにくい場合がある。香料の配合量が多すぎると、ポリマーが壁材を構築しづらくなり、安定なカプセルが得られない場合がある。
【００１６】
本発明の芯物質に用いられる油分は、炭化水素油、エステル油、シリコーン油等の任意の油分を用いることができる。
【００１７】
油分としては、例えば、流動パラフィン、オゾケライト、スクワラン、プリスタン、パラフィン、スクワレン、ワセリン、マカデミアナッツ油、ミリスチン酸イソプロピル、オクタン酸セチル、ミリスチン酸オクチルドデシル、パルミチン酸イソプロピル、ステアリン酸ブチル、ラウリン酸ヘキシル、ミリスチン酸ミリスチル、オレイン酸デシル、ジメチルオクタン酸ヘキシルデシル、乳酸セチル、乳酸ミリスチル、酢酸ラノリン、ステアリン酸イソセチル、イソステアリン酸イソセチル、12-ヒドロキシステアリン酸コレステリル、ジ-2-エチルヘキサン酸エチレングリコール、ジペンタエリスリトール脂肪酸エステル、モノイソステアリン酸N-アルキルグリコール、ジカプリン酸ネオペンチルグリコール、リンゴ酸ジイソステアリル、ジ-2-ヘプチルウンデカン酸グリセリン、トリ-2-エチルヘキサン酸トリメチロールプロパン、トリイソステアリン酸トリメチロールプロパン、テトラ-2-エチルヘキサン酸ペンタエリスリトール、トリ-2-エチルヘキサン酸グリセリン、トリオクタン酸グリセリン、トリイソパルミチン酸グリセリン、トリイソステアリン酸トリメチロールプロパン、セチル2-エチルヘキサノエート、2-エチルヘキシルパルミテート、トリミリスチン酸グリセリン、トリ-2-ヘプチルウンデカン酸グリセライド、ヒマシ油脂肪酸メチルエステル、オレイン酸オレイル、アセトグリセライド、パルミチン酸2-ヘプチルウンデシル、アジピン酸ジイソブチル、N-ラウロイル-L-グルタミン酸-2-オクチルドデシルエステル、アジピン酸ジ-2-ヘプチルウンデシル、エチルラウレート、セバシン酸ジ−2-エチルヘキシル、ミリスチン酸2-ヘキシルデシル、パルミチン酸2-ヘキシルデシル、アジピン酸2-ヘキシルデシル、セバシン酸ジイソプロピル、コハク酸2-エチルヘキシル、クエン酸トリエチル、モルティエレラ油、鎖状ポリシロキサン、環状ポリシロキサン等が挙げられる。
【００１８】
鎖状ポリシロキサンとしては、例えば、ジメチルポリシロキサン、メチルフェニルポリシロキサン、ジフェニルポリシロキサン等が挙げられる。環状ポリシロキサンとしては、例えば、オクタメチルシクロテトラシロキサン、デカメチルシクロペンタシロキサン、ドデカメチルシクロヘキサシロキサン等が挙げられる。
本発明の油分として、スクワラン、流動パラフィンを用いることがより好ましい。
【００１９】
油分の配合量は、カプセル全量に対して１０〜８９質量％であることが好ましい。油分の配合量が少なすぎると、コア−シェル構造を構築しづらくなり、安定なカプセルが得られない（香料を保持しにくくなる）場合がある。油分の配合量が多すぎると、他成分の配合量が少なすぎて、本発明の効果が得られない場合がある。
【００２０】
本発明の香料内包カプセルの芯物質は、上記必須成分以外に、任意成分（例えば、薬剤、親油性非イオン界面活性剤、親水性非イオン界面活性剤、保湿剤、増粘剤、紫外線吸収剤、ｐＨ調製剤、酸化防止剤等）を配合してもよい。
【００２１】
本発明のポリマーとしては、ポリメタクリル酸メチル等のポリ（メタ）アクリル酸アルキルやポリスチレンを用いることができる。また、非架橋ポリマーよりも多くの香料を内包することができるため、架橋ポリマーを用いることがより好ましい。架橋剤としてはエチレングリコールジメタクリレート、ジビニルベンゼンなどが挙げられる。
【００２２】
本発明では必要に応じて、（メタ）アクリル酸アルキルやスチレンと架橋剤の他に第３成分として他のモノマーを加えた共重合体を用いることができる。モノマーとしては例えば、（メタ）アクリル酸、酢酸ビニル、アクリルアマイド、アクリロニトリル、メタクリロニトリル、塩化ビニリデンなどが挙げられる。第３成分のポリマーへの配合比率は０〜４０質量％が好ましく、より好ましくは０〜３０質量％、さらに好ましくは０〜２０質量％である。内包される香料や油分にも影響されるが、第３成分の配合比率が高い場合、香料の漏洩を引き起こす可能性が高くなる場合がある。
また、安全性の点で化粧料への配合ができなくなるため、ポリマーとしてメラミン化合物を用いないことが好ましい。
【００２３】
ポリマーの配合量は、カプセル全量に対して１０〜３０質量％であることが好ましい。ポリマーの配合量が少なすぎると、香料内包カプセルの強度が低くなり、香料成分の漏洩を引き起こす可能性が高くなる。ポリマーの配合量が多すぎると、カプセルの強度が高くなりすぎ、香料成分を放出できなくなる可能性がある。
【００２４】
本発明の香料内包カプセルの平均粒子径は、１〜１００μｍであることが好ましく、５〜５０μｍであることがより好ましい。平均粒子径が小さすぎると、耐アルコール性が下がる場合がある。平均粒子径が大きすぎると、香料内包カプセルの強度が低くなり、香料成分の漏洩を引き起こす可能性が高くなる場合がある。
【００２５】
本発明の香料内包カプセルは、常法により得ることができる。例えば、メタクリル酸メチルなどのモノマー、油分等を混合溶解した後、香料を添加し、撹拌することにより、分散液を得る。この分散液を重合後、乾燥させることにより、本発明の香料内包カプセルを得ることができる。
なお、製造過程における各成分の仕込み量と、得られたカプセル中の各成分の配合量（内包量）は、ほぼ同量となる。このため、製造したいカプセルの配合量（内包量）に合わせて、仕込み量の調製をすることで、本発明の香料内包カプセルを容易に得ることができる。
【００２６】
本発明の香料内包カプセルは、任意の製品（例えば、化粧料、皮膚外用剤、芳香剤、洗浄剤、衣類用柔軟剤、浴用剤、消臭剤、雑貨、飲食料等）に配合することができる。本発明の香料内包カプセルを任意の製品に配合する場合、本発明の香料内包カプセルの配合量は、製品全量に対して０．００１〜５０質量％であることが好ましい。
【００２７】
本発明の香料内包カプセルは、ポリマーとして特にポリ（メタ）アクリル酸アルキルを用いた場合、化粧料に配合することが好ましい。
化粧料としては、化粧水、乳液、美容液、クリーム、ボディローション、ボディパウダー、ボディジェル等のスキンケア化粧料、ファンデーション、化粧下地、アイシャドウ、頬紅、口紅、マスカラ、おしろい等のメーキャップ化粧料、ヘアミスト、ヘアオイル、ヘアジェル、シャンプー、リンス、コンディショナー、トリートメント、スプレー、ムース等の毛髪化粧料、デオドラント化粧料等が挙げられる。
【００２８】
香料内包カプセルを含む化粧料において、アルコールの配合量が、化粧料全量に対して５０質量％未満であることが好ましく、４５質量％以下であることがより好ましい。アルコールの配合量が多すぎると、カプセルの膨潤等が起こってしまい、安定に存在できない場合がある。
なお、アルコールとしては、エタノール等が挙げられる。
【００２９】
本発明の香料内包カプセルを化粧料に配合する場合、香料内包カプセルの配合量は、化粧料全量に対して０．００１〜２０質量％であることが好ましく、０．３〜１０質量％であることがより好ましい。
【００３０】
また、化粧料自身へ賦香する香料の種類と、化粧料へ配合するカプセルへ内包させる香料の種類を変えることで、商品価値を向上させることができる。化粧料自身への賦香とカプセル内包香料を同様の香調にすれば、化粧料塗布後に、塗布部に触れることで、香りがよみがえり、強くなったように感じられる。化粧料自身への賦香とカプセル内包香料を異なる香調にすれば、化粧料塗布後に、塗布部に触れることで、異なる香りが感じられるようになる。また、化粧料自身へは賦香せずに、香料内包カプセルをその化粧料へ配合すれば、化粧料塗布後に香りが感じられないが、塗布部に触れることで、香りが感じられるようになる。
【実施例】
【００３１】
本発明について、以下に実施例を挙げてさらに詳述するが、本発明はこれにより何ら限定されるものではない。配合量は特記しない限り、その成分が配合される系に対する質量％で示す。
実施例の説明に先立ち本発明で用いた試験の評価方法について説明する。
【００３２】
評価（１）：平均粒子径
測定装置として、レーザー回折式粒度分布測定装置（ＨＥＲＯＳ＆ＲＯＤＯＳ、ＳＹＭＰＡＴＥＣ社）を使用し、湿式測定法により各試料を測定し、体積平均径Ｄ５０値を平均粒子径とした。
【００３３】
評価（２）：カプセル化評価
各試料を目視および／またはＳＥＭで観察した。その後、各試料を摩擦後、香りを評価した。なお、摩擦とは、手で２回同じ強さで擦ることである。
Ａ：試料が凝集せず、粉末を単離することができた。ＳＥＭで観察すると切断面に空洞ができているため、カプセルが形成されていた。
Ｂ：試料が凝集せず、粉末を単離することができた。ＳＥＭで観察すると切断面に空洞は見られないため、粉末状であった。
Ｃ：試料は凝集していないが、単離する際にカプセルの強度が低く内包物の流出が見られた。
Ｄ：試料が凝集して単離できなかった。
【００３４】
評価（３）：香り評価
専門パネル２名が、各試料（そのまま、もしくは、摩擦後）の香りについて、下記採点基準で評価した。そして、２名の評価の平均点により評価した。なお、摩擦とは、手で２回同じ強さで擦ることである。
６点：非常に強い。
５点：強い。
４点：どちらともいえない。
３点：弱い。
２点：認知。
１点：検知。
０点：無香。
【００３５】
評価（４）：耐アルコール性
各試料を調製後、４週間経過後の試料の耐アルコール性（外観／香り）を、下記評価基準で評価した。なお、摩擦とは、手で２回同じ強さで擦ることである。
（外観）
Ａ：凝集、固化や油滴が見られなかった。
Ｂ：凝集、固化が見られなかったが、油滴が見られた。
Ｃ：凝集、固化、油滴が見られた。
（香り）
Ａ：試料をろ紙に塗布し、摩擦により香りが強まった。
Ｂ：試料をろ紙に塗布し、摩擦により香りがやや強まった。
Ｃ：塗布前に既に香りが強く、試料をろ紙に塗布し、摩擦をかけても香りの強さは変わらなかった。
【００３６】
本発明者らは、芯物質として香料を含み、壁材としてポリメタクリル酸メチルを用いたカプセルの製造を試みた。すなわち、常法（下記製造方法）で下記表１に示す組成のカプセルの製造を試みた。そして、評価項目（１）〜（３）について上記評価方法で評価した。結果を表１に示す。
また、製造例１−１を撮影したＳＥＭ写真を、図１に示す。
【００３７】
・製造方法
（製造例１−１）
メチルメタクリレート６６．５ｇ、エチレングリコールジメタクリレート３．５ｇ、２，２′−アゾビス（２，４−ジメチルバレロニトリル）０．３ｇ、スクワラン１５ｇ、香料（リモネン）１５ｇを均一溶解した油系混合物を調製した。水５００ｇ、メチルセルロース４ｇを均一溶解した水系混合物を調製した。
次に、ホモミキサーを用いて、この油系混合物と水系混合物を懸濁させた水系分散媒を調製後、オートクレーブに仕込み、６０℃、０．２MPaの条件下で１２時間反応を行った。この反応物をろ過、乾燥することで粒子を得た。
（製造例１−２）
製造例１−２は、表１の配合量で、上記製造例１−１と同様に製造した。
【００３８】
【表１】
2014237761.tif 000003
【００３９】
製造例１−１および図１によると、この組成ではカプセル化できず、粉末となることがわかった。また、リモネンはポリメタクリル酸メチルと反応し壁材に組み込まれてしまい、そのままではリモネンの香りは感じられず、摩擦を加えてもリモネンの香りは感じられなかった。
また、製造例１−２によると、内包物（リモネン）の配合量を増やすと、粉末の単離も不可能になることがわかった。
【００４０】
そこで、本発明者らは、芯物質として異なる香料を用いて検討を行った。すなわち、下記表２に示す組成のカプセルを、上記製造例１−１と同様に（表２の配合量で）製造を試みた。そして、評価項目（１）〜（３）について上記評価方法で評価した。結果を表２に示す。
また、製造例２−２の切断面を撮影したＳＥＭ写真を、図２に示す。
【００４１】
【表２】
2014237761.tif 000004
【００４２】
製造例２−１、２−２および図２によると、芯物質として香料（エチルカプロエート）のみを用いてもカプセルは得られず、エチルカプロエート含浸粉末が得られた。しかし、香りを有することから、壁材に組み込まれていないことがわかった。
【００４３】
含浸粉末が得られることは、内包物と壁材の極性差が小さい場合に見られる現象であることから、本発明者らは、内包物の極性を下げる必要があると考えた。
なお、含浸粉末はいわゆるコア−シェル構造をとっておらず、粉末中に香料が浸み込んでいる状況を指し、この様な状態では香料の漏洩を防ぐことができず、香りのよみがえりの効果は得られにくい。
【００４４】
そこで、本発明者らは、芯物質として、エチルカプロエートを用いて、安定なカプセルの製造を試みた。まず、壁材としてポリメタクリル酸メチル、芯物質として香料のほか油分を用いた検討を試みた。すなわち、常法（下記製造方法）で下記表３に示す組成のカプセルを製造し、評価項目（１）〜（３）について上記評価方法で評価した。結果を表３に示す。
また、製造例３の切断面を撮影したＳＥＭ写真を、図３に示す。
【００４５】
・製造方法（製造例３）
メチルメタクリレート２０ｇ、２，２′−アゾビス（２，４−ジメチルバレロニトリル）０．２ｇ、スクワラン６５ｇ、エチルカプロエート１５ｇを均一溶解した油系混合物を調製した。水４００ｇ、コロイダルシリカ１０ｇ、ジエタノールアミン−アジピン酸縮合物１ｇを均一混合した後、ｐＨ３に水系混合物を調製した。
次に、ホモミキサーを用いて、この油系混合物と水系混合物を懸濁させた水系分散媒を調製後、オートクレーブに仕込み、６０℃、０．２MPaの条件下で１２時間反応を行った。この反応物をろ過、乾燥することで粒子を得た。
【００４６】
【表３】
2014237761.tif 000005
【００４７】
製造例３および図３によると、内包物の極性を下げるために、芯物質として、香料だけでなく油分（スクワラン）を用いた場合、切断面にポリマー壁が構築され、空洞が見られたことから、エチルカプロエート含有カプセルが得られたことがわかった。該カプセルは、摩擦により香りが強まったため、製造例３のカプセルは、安定にエチルカプロエートを内包できていることがわかった。
したがって、本発明にかかる香料内包カプセルは、芯物質として、エチルカプロエートに代表される香料および油分を用いることが必要である。
【００４８】
次に、本発明者らは、芯物質に油分および香料を用いたカプセルにおいて、内包される香料に関する検討を行った。すなわち、常法（下記製造方法）で下記表５に示す香料を配合した表４に示す組成のカプセルを製造し、評価項目（２）について上記評価方法で評価した。結果を表５に示す。
【００４９】
・製造方法（製造例４）
メチルメタクリレート２３．７ｇ、エチレングリコールジメタクリレート１．３ｇ、２，２′−アゾビス（２，４−ジメチルバレロニトリル）０．２ｇ、流動パラフィン６０ｇ、表５に示される各香料１５ｇを均一溶解した油系混合物を調製した。水４００ｇ、コロイダルシリカ１０ｇ、ジエタノールアミン−アジピン酸縮合物１ｇを均一混合した後、ｐＨ３に水系混合物を調製した。
次に、ホモミキサーを用いて、この油系混合物と水系混合物を懸濁させた水系分散媒を調製後、オートクレーブに仕込み、６０℃、０．２MPaの条件下で１２時間反応を行った。この反応物をろ過、乾燥することで粒子を得た。
【００５０】
（表４）
・芯物質
表５に示される各香料              １５  質量％
流動パラフィン                    ６０
・壁材
架橋ポリメタクリル酸メチル        ２５
【００５１】
【表５−１】
2014237761.tif 000006
【００５２】
【表５−２】
2014237761.tif 000007
【００５３】
【表５−３】
2014237761.tif 000008
【００５４】
【表５−４】
2014237761.tif 000009
【００５５】
【表５−５】
2014237761.tif 000010
【００５６】
【表５−６】
2014237761.tif 000011
【００５７】
表５より、安定な香料内包カプセルを得るためには、内包する香料を選択する必要があることがわかる。リモネン、シス−３−ヘキセノール、ゲラニオール、アリルヘキサノエートといった香料を内包しようとしても、香料が壁材と反応して組み込まれてしまい、内包カプセルを得られず、粉末状になってしまうことがわかった。
したがって、本発明にかかる香料内包カプセルは、３−オクタノール、２，６−ジメチル−２−ヘプタノール、テトラヒドロゲラニオール、テトラヒドロリナロール、ヒドロキシシトロネロール、ボルネオール、セドロール、パチュリアルコール、ベチベロール、４−イソプロピルシクロヘキサノール、４−イソプロピルシクロヘキサン−メタノール、ｐ−ｔｅｒｔ−ブチルシクロヘキサノール、ｏ−ｔｅｒｔ−ブチルシクロヘキサノール、１−（２−ｔｅｒｔ−ブチルシクロヘキシルオキシ）−２−ブタノール、α，β，２，２，６−ペンタメチルシクロヘキシルプロパノール、１−（２，２，６−トリメチルシクロヘキシル）−３−ヘキサノール、ベンジルアルコール、２−フェニルエチルアルコール、フェノキシエチルアルコール、１−フェニルエチルアルコール、アニスアルコール、３−フェニルプロピルアルコール、α，α−ジメチルベンジルカルビノール、α，α−ジメチルフェニルエチルカルビノール、フェニルエチルメチルエチルカルビノール、３−メチル−５−フェニル−１−ペンタノール、チモール、カルバクロール、オルシノールモノメチルエーテル、３，７−ジメチル−７−メトキシオクタン−２−オール、１，８−シネオール、４−アセトキシ−３−アミルテトラヒドロピラン、セドリルメチルエーテル、１−メトキシシクロドデカン、１−メチル−１−メトキシシクロドデカン、エトキシメチルシクロドデシルエーテル、アンブロキサン、グリサルバ、アニソール、ジメチルヒドロキノン、ｐ−クレシルメチルエーテル、アセトアニソール、ジヒドロアネトール、ジフェニルオキサイド、フェニルエチルイソアミルエーテル、β−ナフチルメチルエーテル、β−ナフチルエチルエーテル、β−ナフチルイソブチルエーテル、ヘキシルアルデヒド、ヘプチルアルデヒド、オクチルアルデヒド、ノニルアルデヒド、デシルアルデヒド、ウンデシルアルデヒド、３，５，５−トリメチルヘキサナール、メチルオクチルアセトアルデヒド、メチルノニルアセトアルデヒド、ヒドロキシシトロネラール、メトキシジヒドロシトロネラール、センテナール、ベンズアルデヒド、フェニルアセトアルデヒド、フェニルプロピルアルデヒド、ヒドラトロピックアルデヒド、アニスアルデヒド、ｐ−メチルフェニルアセトアルデヒド、クミンアルデヒド、シクラメンアルデヒド、３−（ｐ−ｔｅｒｔ−ブチルフェニル）−プロパナール、ｐ−エチル２，２−ジメチルヒドロシンナムアルデヒド、２−メチル−３−（ｐ−メトキシフェニル）−プロパナール、４−ｔｅｒｔ−ブチル−α−メチルヒドロシンナミックアルデヒド、ヘリオトロピン、ヘリオナール、バニリン、エチルバニリン、オクタナールグリコールアセタール、フェニルアセトアルデヒドジメチルアセタール、ヒドラトロピックアルデヒドジメチルアセタール、フェニルアセトアルデヒドグリセリルアセタール、２−ブチル−４，４，６−トリメチル−１，３−ジオキサン、メチルアミルケトン、エチルアミルケトン、メチルヘキシルケトン、メチルノニルケトン、カンファー、ｌ−メントン、ｄ−イソメントン、ｐ−ｔｅｒｔ−ブチルシクロヘキサノン、２−アミルシクロペンタノン、２−ヘプチルシクロペンタノン、プリカトン、４−シクロヘキシル−４−メチ���−２−ペンタノン、２，２，５−トリメチル−５−ペンチルシクロペンタノン、アセトフェノン、ｐ−メチルアセトフェノン、ベンジルアセトン、カロン、ラズベリーケトン、アニシルアセトン、ジンゲロン、メチルβ−ナフチルケトン、４−フェニル−４−メチル−２−ペンタノン、ベンゾフェノン、エチルホルメート、ベンジルホルメート、フェニルエチルホルメート、エチルアセテート、ブチルアセテート、イソアミルアセテート、ヘキシルアセテート、イソノニルアセテート、ｌ−メンチルアセテート、ｎ−ボルニルアセテート、イソボルニルアセテート、ｐ−ｔ−ブチルシクロヘキシルアセテート、ｏ−ｔ−ブチルシクロヘキシルアセテート、ベンジルアセテート、２−フェニルエチルアセテート、スチラリルアセテート、アニシルアセテート、ｐ−クレシルアセテート、ヘリオトロピルアセテート、セドリルアセテート、ベチベリルアセテート、デカヒドロ−β−ナフチルアセテート、エチルプロピオネート、イソアミルプロピオネート、ベンジルプロピオネート、エチルブチレート、エチル２−メチルブチレート、ブチルブチレート、イソアミルブチレート、ヘキシルブチレート、ベンジルブチレート、ベンジルイソブチレート、フェニルエチルイソブチレート、フェノキシエチルイソブチレート、エチルイソバレート、プロピルバレート、ベンジルイソバレート、フェニルエチルイソバレート、エチルカプロエート、エチルヘプタノエート、エチル２−メチルペンタノエート、エチルオクタノエート、エチルケトプロピオネート、イソアミルケトプロピオネート、エチルアセトアセテート、エチルレブリネート、メチルベンゾエート、ベンジルベンゾエート、フェニルエチルベンゾエート、メチルフェニルアセテート、メチルサリシレート、メチルアニセート、メチルアンスラニレート、メチルジヒドロジャスモネート、エチル３−メチル−３−フェニルグリシデート、エチル３−フェニルグリシデート、フルクトン、フレイストン、フルイテート、γ−オクタルアクトン、クマリン、ムスコン、シクロペンタデカノン、シクロペンタデカノリド、インドールから選択される１種または２種以上からなる香料と、油分と、を含む芯物質と、ポリマーからなる壁材と、からなることが必要である。
このような本発明の香料内包カプセルは、香料を安定に内包でき、摩擦により容易にトップノートを含むつけたての香りを実現できる。
【００５８】
次に、本発明者らは、上記本発明の特定香料を調合した調合香料を用いて、カプセル中の各成分の配合量について検討を行った。すなわち、下記に示す調合香料Ａを調製後、常法（下記製造方法）で下記表６に示す組成のカプセルの製造を試みた。そして、評価項目（１）、（２）について上記評価方法で評価した。結果を表６に示す。
【００５９】
・製造方法
（製造例４−１）
メチルメタクリレート２３．７ｇ、エチレングリコールジメタクリレート１．３ｇ、２，２′−アゾビス（２，４−ジメチルバレロニトリル）０．２ｇ、スクワラン６５ｇ、調合香料Ａ１０ｇを均一溶解した油系混合物を調製した。水４００ｇ、コロイダルシリカ１０ｇ、ジエタノールアミン−アジピン酸縮合物１ｇを均一混合した後、ｐＨ３に水系混合物を調製した。
次に、ホモミキサーを用いて、この油系混合物と水系混合物を懸濁させた水系分散媒を調製後、オートクレーブに仕込み、６０℃、０．２MPaの条件下で１２時間反応を行った。この反応物をろ過、乾燥することで粒子を得た。
（製造例４−２〜４−７）
製造例４−２〜４−７は、表６の配合量で、上記製造例４−１と同様に製造した。
【００６０】
＜調合香料Ａ＞
オクタナールグリコールアセタール        ２  質量％
メチルオクチルアセトアルデヒド          １
オクチルアルデヒド                      ５
メチルベンゾエート                      ３
エチルヘプタノエート                    ２
ヘキシルブチレート                      ２
ヘキシルアセテート                      ５
２−アミルシクロペンタノン              １
ヘキシルアルデヒド                      ３
フェニルアセトアルデヒド                ３
フェノキシエチルアルコール              ５
２−フェニルエチルアルコール            ７
α，α−ジメチルベンジルカルビノール    ２
ベンジルベンゾエート                    ２
ｐ−クレシルアセテート                  ２
ジフェニルオキサイド                    ２
テトラヒドロゲラニオール                ３
フェニルエチルイソアミルエーテル        ２
ｌ−メントン                            ３
カンファー                              ２
２−ブチル−４，４，６−トリメチル−１，３−ジオキサン
２
１，８−シネオール                      １
ベンジルアセテート                      ６
４−アセトキシ−３−アミルテトラヒドロピラン
１
エチル２−メチルペンタノエート          １
シクロペンタデカノリド                  １
シクロペンタデカノン                    １
１−メチル−１−メトキシシクロドデカン  ２
４−シクロヘキシル−４−メチル−２−ペンタノン
１
ｐ−ｔｅｒｔ−ブチルシクロヘキサノン    ３
セドリルアセテート                      ２
セドロール                              ２
メチルジヒドロジャスモネート          ２０
【００６１】
【表６】
2014237761.tif 000012
【００６２】
香料を変えても、１５％以上の香料を内包したカプセルを単離することができた。また、香料を６０％内包まではＳＥＭを用いて切断面を観測すると、ポリマー壁が構築されていることと空洞が見られた。
また、製造例３と比較し壁材として架橋ポリメタクリル酸メチルを用いる場合、より多くの香料を内包することが可能となることがわかった。
また、製造例４−６から油分の配合量が少なく香料の配合量が多いと、ポリマー壁が構築しきれていない含浸粉末となり、製造例４−７からポリマーの配合量が少ないと強度が低く、カプセルとして扱うことができないことがわかった。
【００６３】
これらの本発明者らによる検討の結果、本発明の香料内包カプセル全量に対して、香料の配合量が１〜６０質量％、油分の配合量が１０〜８９質量％、壁材の配合量が１０〜３０質量％であることが好ましいことがわかった。
【００６４】
次に、本発明者らは、ポリ（メタ）アクリル酸アルキル以外の壁材について検討を行った。すなわち、下記製造方法でカプセルを製造後、ＳＥＭにより観察を行った。
【００６５】
・製造方法（製造例５）
スチレン２３．７ｇ、ジビニルベンゼン１．３ｇ、２，２′−アゾビス（２，４−ジメチルバレロニトリル）０．２ｇ、スクワラン６５ｇ、調合香料Ａ１０ｇを均一溶解した油系混合物を調製した。水４００ｇ、コロイダルシリカ１０ｇ、ジエタノールアミン−アジピン酸縮合物１ｇを均一混合した後、ｐＨ３に水系混合物を調製した。
次に、ホモミキサーを用いて、この油系混合物と水系混合物を懸濁させた水系分散媒を調製後、オートクレーブに仕込み、６０℃、０．２MPaの条件下で１２時間反応を行った。この反応物をろ過、乾燥することで粒子を得た。
【００６６】
該カプセルは平均粒子径が２９μｍで、SEMを用いてカプセルの切断面を観測すると、ポリマー壁が構築されていることと空洞が見られ、また摩擦により香りが強まったため安定に香料を内包できていることがわかった。
【００６７】
・製造方法（製造例６）
メチルメタクリレート１４．２ｇ、スチレン９．５ｇ、エチレングリコールジメタクリレート１．３ｇ、２，２′−アゾビス（２，４−ジメチルバレロニトリル）０．２ｇ、流動パラフィン６５ｇ、調合香料Ａ１０ｇを均一溶解した油系混合物を調製した。水４００ｇ、コロイダルシリカ１０ｇ、ジエタノールアミン−アジピン酸縮合物１ｇを均一混合した後、ｐＨ３に水系混合物を調製した。
次に、ホモミキサーを用いて、この油系混合物と水系混合物を懸濁させた水系分散媒を調製後、オートクレーブに仕込み、６０℃、０．２MPaの条件下で１２時間反応を行った。この反応物をろ過、乾燥することで粒子を得た。
【００６８】
該カプセルは平均粒子径が２５μｍで、SEMを用いてカプセルの切断面を観測すると、ポリマー壁が構築されていることと空洞が見られ、また摩擦により香りが強まったため安定に香料を内包できていることがわかった。
【００６９】
これらの検討の結果、壁材としてポリ（メタ）アクリル酸アルキルだけでなくポリスチレンや、（メタ）アクリル酸アルキルとスチレンの共重合体を用いても香料内包カプセルが得られることがわかった。
【００７０】
次に、本発明の香料内包カプセル等を化粧料に配合した場合の香りについて検討を行った。すなわち、下記表７に示す組成で、上記製造例３で得られた香料内包カプセルを含む化粧料（ヘアミスト）を常法により調製した。表７中の［括弧］内の数値は、香料の（化粧料全量に対する）配合量である。
【００７１】
そして、評価項目（３）について上記評価方法で評価した。なお、評価は、各試料をろ紙（塗布量０．１ｍｌ）、ストランド（塗布量０．２ｍｌ）上に塗布後、５分、１５分、３０分、１時間、２時間放置後に行った。
ろ紙、ストランドにおける評価結果をそれぞれ図４、図５に示す。
【００７２】
【表７】
2014237761.tif 000013
【００７３】
図４より、単独では残香がない香料でも、カプセル化して配合することで、摩擦により香りをよみがえらせることができることがわかった。図４（Ａ）より、香料内包カプセルの配合量が非常に少ない場合でも、香料内包カプセルは、摩擦により香りをよみがえらせることができるが、図４（Ｂ）より、香料内包カプセルを適量配合する方が、長時間に渡り、繰り返し摩擦を起こしても、その度に強い香りをよみがえらせることができることがわかった。
したがって、本発明の香料内包カプセルを化粧料に配合する場合、香料内包カプセルの配合量は、化粧料全量に対して０．３質量％以上であることが好ましい。
【００７４】
図５より、ストランドに化粧料を塗布した場合にも、くしや手により繰り返し摩擦を起こすことで、強い香りをよみがえらせられる効果が、長時間持続できることがわかった。
【００７５】
次に、本発明の香料内包カプセルを化粧料に配合した場合の耐アルコール性について検討を行った。すなわち、下記表８に示す組成で、上記製造例４−２で得られた香料内包カプセルを含むアルコール水溶液を調製した。表８中の［括弧］内の数値は、香料の（化粧料全量に対する）配合量である。そして、評価項目（４）について上記評価方法で評価した。なお、表８における評価は、外観／香りの結果が示してある。結果を表８に示す。
【００７６】
【表８】
2014237761.tif 000014
【００７７】
表８より、アルコールを５０質量％以上配合した組成物に本発明の香料内包カプセルを配合すると、特に高温領域において、安定性を保てない場合があることがわかった。
したがって、本発明にかかる香料内包カプセルを化粧料に配合する場合、アルコールの配合量が、化粧料全量に対して５０質量％未満であることが好ましい。
【００７８】
以下に、本発明の香料内包カプセルの処方例および配合例を挙げる。本発明はこの処方例および配合例によって限定されるものではない。
【００７９】
処方例１  香料内包カプセル
・芯物質
調合香料Ｂ                        ２０  質量％
スクワラン                        ３０
デカメチルシクロペンタシロキサン  １０
マカデミアナッツ油                １０
モルティエレラ油                    ５
・壁材
架橋ポリメタクリル酸メチル        ２５
【００８０】
＜調合香料Ｂ＞
フルイテート                                ３  質量％
エチル３−フェニルグリシデート              ３
エチルヘプタノエート                        ６
イソアミルブチレート                        ２
エチルブチレート                            ３
イソアミルプロピオネート                    ５
ブチルアセテート                            ３
ラズベリー                                  ５
メチルアミルケトン                          ４
３，５，５−トリメチルヘキサナール          ５
ｐ−エチル２，２−ジメチルヒドロシンナムアルデヒド
１
３−メチル−５−フェニル−１−ペンタノール  ２
２−フェニルエチルアルコール                ６
γ−オクタルアクトン                        ３
メチルβ−ナフチルケトン                    ４
３−（ｐ−ｔｅｒｔ−ブチルフェニル）−プロパナール
２
ｐ−クレシルメチルエーテル                  １
パチュリアルコール                          １
β−ナフチルエチルエーテル                  １
チモール                                    １
インドール                                  ０．１
ベンジルホルメート                          ３
ベンジルアルコール                          ３
バニリン                                    ２
ヘリオトロピン                              １
オルシノールモノメチルエーテル              １
ムスコン                                    ２
３，７−ジメチル−７−メトキシオクタン−２−オール
１
セドリルメチルエーテル                      ２
アンブロキサン                              ３
メチルジヒドロジャスモネート              ２０．９
【００８１】
処方例２  香料内包カプセル
・芯物質
調合香料Ｃ                        ２５  質量％
スクワラン                          ５
流動パラフィン                    ４０
モルティエレラ油                    ５
・壁材
架橋ポリメタクリル酸メチル        ２５
【００８２】
＜調合香料Ｃ＞
エチル３−メチル−３−フェニルグリシデート  １  質量％
エチルカプロエート                          ４
ヘキシルブチレート                          ６
ブチルブチレート                            ４
エチル２−メチルブチレート                  ８
エチルプロピオネート                        ３
イソアミルアセテート                        ７
ヘキシルアルデヒド                          ６
カロン                                      １
ヘリオナール                                １
２−フェニルエチルアセテート                ２
４−イソプロピルシクロヘキサノール          ３
クマリン                                    １
メチルアンスラニレート                      １
メチルサリシレート                          １
ベンゾフェノン                              ２
シクラメンアルデヒド                        ２
ヒドロキシシトロネロール                    ３
２，６−ジメチル−２−ヘプタノール          ２
アニスアルデヒド                            １
ベンズアルデヒド                            ２
ベンジルアルコール                          ３
ｐ−ｔ−ブチルシクロヘキシルアセテート      ２
１−（２−ｔｅｒｔ−ブチルシクロヘキシルオキシ）−２−ブタノール
１
メチルジヒドロジャスモネート              ３３
【００８３】
配合例１：ヘアコンディショナー 
セトステアロキシＰＧジメチルアミン                        １．５  質量％
ジココイルエチルヒドロキシエチルモニウムメトサルフェート  ０．２
セトステアリルアルコール                                  ３．０
ステアリルアルコール                                      ２．０
ステアリン酸                                              ０．５
モノステアリン酸グリセリン                                ０．５
ピロリドンカルボン酸                                      ０．４
乳酸ナトリウム                                            ０．２
ヒドロキシエチル尿素                                      ０．４
トウツバキ種子油                                          ０．１
ポリクオタニウム６１                                      ０．１
ジメチコン（２０ｍＰａ・ｓ）                              ５．０
ジメチコノール（１万ｍＰａ・ｓ）                          １．０
ミネラルオイル                                            ０．３
パルミチン酸オクチル                                      ０．３
ステアレス４                                              ０．２
ソルビトール                                            １０．０
ジグリセリン                                              ３．０
イソプレングリコール                                      ４．０
POE(10)POP(7)ジメチルエーテル(ランダム共重合体)            ０．２
高重合ポリエチレングリコール（Ｍｗ４００万）              ０．１
カチオン化デンプン                                        ０．１
トウガラシチンキ                                          ０．０５
メントール                                                ０．１
バニリルブチルエーテル                                    ０．０２
カラスムギ抽出液                                          ０．１
タウリン                                                  １．０
フェノキシエタノール                                      ０．４
ベンジルオキシエタノール                                  ０．３
香料内包カプセル（処方例２）                              ２．０
香料                                                      ０．６
精製水                                                    残量
【００８４】
配合例２：ヘアコンディショナー 
ベヘロキシＰＧジメチルアミン                        ２．５  質量％
ベヘナミドプロピルジメチルアミン                    ０．５
ステアリルアルコール                                ４．０
ベヘニルアルコール                                  ２．０
固形パラフィン                                      ０．５
モノオレイン酸グリセリン                            ０．４
グルタミン酸                                        ０．６
コハク酸                                            ０．４
Ｌ−アルギニン                                      ０．２
ジメチコン（１０００ｍＰａ・ｓ）                    ０．５
アモジメチコン（１０００ｍＰａ・ｓ）                １．０
ジメチコノール（４０００ｍＰａ・ｓ）                ２．０
イソステアリン酸イソセチル                          １．０
グリセリン                                          ５．０
イソプレングリコール                                ２．０
POE(35)POP(40)ジメチルエーテル（ブロック共重合体）  ０．３
カチオン化セルロース                                ０．５
ビワ抽出液                                          ０．２
メチルパラベン                                      ０．３
ベンジルアルコール                                  ０．３
香料内包カプセル（処方例１）                        １．０
香料                                                ０．４
精製水                                              残量
【００８５】
配合例３：ヘアシャンプー
カチオン変性ローカストビーンガム（＊１）              ０．６質量％
ヤシ油脂肪酸モノエタノールアマイド                    ２．０
ジプロピレングリコール                                ３．０
イミダゾリニウムベタイン                              ４．０
Ｎ−ココイル−Ｎ−メチルタウリンタウリンナトリウム  １１．０
ジステアリン酸エチレングリコール                      ２．７
オレイン酸モノグリセリド                              １．５
シリコーンエマルジョン（＊２）                        １．５
安息香酸Ｎａ                                          ０．２５
アルギニン                                            ０．１
香料内包カプセル（処方例１）                          １．０
香料                                                  ０．６
ＥＤＴＡ−２Ｎａ・２Ｈ２Ｏ                            ０．０５
精製水                                                残量
（＊１）カチナールＣＬＢ−１００（東邦化学製）
（＊２）ジメチルシリコーンエマルジョンＢＹ２２−００７（ジメチルポリシロキサン５０質量％含有）（東レ・ダウコーニング社製）
【００８６】
配合例４：ヘアシャンプー
カチオン変性ローカストビーンガム（＊１）                ０．３質量％
ヤシ油脂肪酸モノエタノールアマイド                      ２．０
グリセリン                                              ６．０
イミダゾリニウムベタイン                                ４．０
Ｎ−ラウロイル−Ｎ−メチルタウリンタウリンナトリウム  １１．０
ジステアリン酸エチレングリコール                        ２．７
オレイン酸モノグリセリド                                １．５
安息香酸Ｎａ                                            ０．２５
香料内包カプセル（処方例２）                            ２．０
香料                                                    ０．５
精製水                                                  残量
【００８７】
配合例５：ヘアシャンプー
カチオン変性ローカストビーンガム（＊１）              ０．２  質量％
カチオン化セルロース                                  ０．５
ヤシ油脂肪酸モノエタノールアマイド                    ２．０
ジプロピレングリコール                                ３．０
イミダゾリニウムベタイン                              ４．０
Ｎ−ココイル−Ｎ−メチルタウリン−Ｎ’−メチルタウリンナトリウム
１１．０
ジステアリン酸エチレングリコール                      ２．７
シリコーンエマルジョン（＊２）                        ３．０
安息香酸Ｎａ                                          ０．２５
香料内包カプセル（処方例２）                          ２．０
香料                                                  １．０
精製水                                                残量
【００８８】
配合例６：ボディシャンプー
ドデカン−１，２−ジオール酢酸エーテルＮａ              １０．０  質量％
テトラデカン−１，２−ジオール酢酸エーテルナトリウム      ５．０
カチオン変性ローカストビーンガム（＊１）                  ０．５
Ｎ−ココイル−Ｎ−メチルタウリンタウリンナトリウム        ５．０
ヤシ油脂肪酸アミドプロピルジメチルアミノ酢酸ベタイン    １０．０
オレイン酸モノグリセリド                                  ０．４
モノラウリン酸プロピレングリコール                        ４．０
シリコーンエマルジョン（＊２）                            １．５
クエン酸ナトリウム                                        ０．２５
ＥＤＴＡ−２Ｎａ・２Ｈ２Ｏ                                ０．０５
香料内包カプセル（処方例１）                              ０．５
香料                                                      ０．９
緩衝剤                                                    適量
精製水                                                    残量
【００８９】
配合例７：洗顔フォーム
グリセリン                                              ５．０  質量％
１，３−ブチレングリコール                              ５．０
ポリエチレングリコール４００                          １０．０
ミツロウ                                                ０．４
オレイン酸モノグリセリド                                ０．２
ステアリン酸グリセリル                                  ２．４
混合脂肪酸（Ｃ１０〜１８）                            ３５．０
液体苛性カリ                                          １５．０
Ｎ−ココイル−Ｎ−メチルタウリンタウリンナトリウム      ５．０
Ｎ−ラウロイル−Ｎ−メチルタウリンタウリンナトリウム    ５．０
カチオン変性ローカストビーンガム（＊１）                ０．２５
シリコーンエマルジョン（＊２）                          １．５
エデト酸塩                                              ０．１
酸化鉄                                                  適量
香料内包カプセル（処方例２）                            １
香料                                                    ０．５
精製水                                                  残量
【００９０】
配合例８：頬紅 
カオリン                                        ２０．０  重量部
二酸化チタン                                      ４．２
酸化鉄（赤）                                      ０．３
赤色２０２号                                      ０．５
セレシン                                        １５．０
流動パラフィン                                  １５．０
イソプロピルミリステート                          ５．０
配合例１のマイクロカプセル（固形分）            ２０．０
酸化防止剤                                        適量
香料内包カプセル（処方例１）                      １．０
香料                                              ０．１
【００９１】
配合例９：化粧水
グリセリン                                        ３．０  質量％
プロピレングリコール                              ４．０
エタノール                                        ８．０
ポリオキシエチレン（２０モル）オレイルアルコール  ０．５
クエン酸                                          ０．０１
クエン酸ソーダ                                    ０．１
香料内包カプセル（処方例１）                      ０．５
香料                                              ０．０５
精製水                                            残量
【００９２】
配合例１０：クリーム
プロピレングリコール                                ５．０質量％
ミツロウ                                            ５．０
セチルアルコール                                    ４．０
還元ラノリン                                        ５．０
スクワラン                                        ３５．０
ステアリン酸グリセライド                            ２．０
ポリオキシエチレン（２０モル）ソルビタンモノラウリン酸エステル
２．０
防腐剤                                              適量
香料内包カプセル（処方例２）                        １．０
香料                                                ０．１
精製水                                              残量
【００９３】
配合例１１：パック
ポリビニルアルコール                    １５．０  質量％
ポリエチレングリコール                    ３．０
プロピレングリコール                      ７．０
エタノール                              １０．０
防腐剤                                    適量
香料内包カプセル（処方例２）              １．０
香料                                      ０．１
精製水                                    残量
【００９４】
配合例１２：頭皮用化粧料
１．３ブチレングリコール                          ７．０  質量％
ポリエチレングリコール                            ５．０
エタノール                                        ５．０
ポリオキシエチレン（６０モル）硬化ヒマシ油        ２．０
苛性カリ                                          ０．０５
カルボキシビニルポリマー                          ０．２
２ヘキシルデシルパルミテート                    １０．０
スクワラン                                        ５．０
ミツロウ                                          ０．５
防腐剤                                            適量
香料内包カプセル（処方例２）                      ２．０
香料                                              ０．２
精製水                                            残量
【００９５】
配合例１３：ヘアジェル
エタノール                                        ５．０  質量％
ジグリセリン                                    １０．０
プロピレングリコール                            １５．０
ソルビット液                                    １０．０
ポリオキシエチレンポリオキシプロピレン２−デシルテトラデシルエーテル
０．３
苛性ソーダ                                        ０．１
ポリビニルピロリドン／酢酸ビニル共重合体          ４．０
ＥＤＴＡ−２Ｎａ・２Ｈ２Ｏ                        ０．０３
香料内包カプセル（処方例２）                      ３．０
香料                                              ０．３
カプセル香料                                      ２．０
精製水                                            残量
【００９６】
配合例１４：ヘアウォーター
エタノール                                      ３０．０  質量％
ダイナマイトグリセリン                            １．０
１，３−ブチレングリコール                        ２．０
ポリオキシエチレンポリオキシプロピレン２−デシルテトラデシルエーテル
２．０
トレハロース                                      ０．１
ヒドロキシエチル尿素                              ０．２
乳酸                                              ０．００２
乳酸ナトリウム液（５０％）                        ０．１２
香料内包カプセル（処方例１）                      ２．０
香料                                              ０．６
精製水                                            残量
【００９７】
配合例１５：デオドラントスプレー
酸化亜鉛                                      ２．０  質量％
メタケイ酸アルミン酸マグネシウム複合粉末      １．０
ポリエチレンビーズ                            ５．０
エタノール                                    ５．０
塩化ベンザルコニウム                          ０．１
環状シリコーン５量体                          ０．６
ソルビタントリオレート                        ０．１
オクタン酸セチル                              ０．５
メチルポリシロキサン                          １．０
メントール                                    １．０
Ｌ−メンチルラクテート                        １．０
香料内包カプセル（処方例１）                  ３．０
香料                                          ０．２
液化石油ガス                                  残量
【００９８】
配合例１６：デオドラントスプレー
アルミニウムヒドロキシクロライド              ０．５  質量％
無水ケイ酸                                    ６．０
メタケイ酸アルミン酸マグネシウム              １．０
ナイロンビーズ                                １．０
イソプロピルメチルフェノール                  ０．５
ソルビタンモノオレエート                      ０．５
イソオクタン酸セチル                          ３．０
メチルフェニルポリシロキサン                  ２．０
ポリオキシエチレンポリオキシプロピレン２−デシルテトラデシルエーテル
０．２
香料内包カプセル（処方例２）                  ３．０
香料                                          ０．５
ユーカリ油                                    ０．５
ビタミンＥ                                    ０．０５
メントール                                    ０．５
液化石油ガス                                  残量
【００９９】
配合例１７：コロンパウダースプレー
タルク                                        ５．０  質量％
エタノール                                  ２０．０
１，３−ブチレングリコール                    ５．０
ミリスチン酸イソプロピル                      １．０
ソルビタンセスキイソステアレート              ０．１
香料内包カプセル（処方例１）                  ３．０
香料                                          ５．０
液化石油ガス                                  残量
【０１００】
配合例１８：デオドラントロールオン
アルミニウムハイドロキシクロライド          ３０．０  質量％
メントール                                    ０．５
Ｌ−メンチルラクテート                        １．０
エタノール                                  ４０．０
ユーカリ油                                    ０．０１
塩化ベンザルコニウム                          ０．５
酸化亜鉛複合粉末                              ０．０１
増粘剤                                        ０．０５
香料内包カプセル（処方例１）                  ５．０
精製水                                        残量
【０１０１】
配合例１９：制汗デオドラントローション
エタノール                                  ４０．０  質量％
トリクロサン                                  ０．２
スルフォ石炭酸亜鉛                            ０．５
ナイロン末                                    ４．０
グリセリン                                    １．０
ジプロピレングリコール                        １．０
水酸化カリウム                                適量
クロルヒドロキシアルミニウム                  ０．２
ユリエキス                                    ０．２
ラベンダーエキス                              ０．１
白樺エキス                                    ０．２
カミツレエキス                                ０．１
香料内包カプセル（処方例１）                  ２．０
香料                                          ０．１
精製水                                        残量
【０１０２】
配合例２０：制汗デオドラントローション
エタノール                                  ４５．０  質量％
塩化ベンザルコニウム                          ０．１
スルフォ石炭酸亜鉛                            ０．５
ナイロン末                                    １．０
架橋型ポリアクリル酸メチル末                  ４．０
ｌ−メントール                                ０．１
カンファー                                    ０．１
チョウジ油                                    ０．０５
プロピレングリコール                          １．０
ペパーミント油                                ０．１
タイムエキス                                  ０．２
塩化アルミニウム                              ０．１
水酸化カリウム                                適量
香料内包カプセル（処方例１）                  ０．５
香料                                          ０．１
精製水                                        残量
【図１】
2014237761.tif 000015
【図２】
2014237761.tif 000016
【図３】
2014237761.tif 000017
【図４】
2014237761.tif 000018
【図５】
2014237761.tif 000019